(57)【要約】      （修正有）【課題】肩部、背中部、腰部の冷えを防止し、表面の美観を損ねることがなく、洗濯をした場合の乾燥時間も従来の乾燥時間と変わらない作業着を提供する。【解決手段】上衣１には、左肩山２から背中の上部を跨がり右肩山５にかけて左右後ろ身ごろ３、６の裏面に保温性を有する当て布１１を合致させ、前記左右後ろ身ごろ３、６と共に対応する前記当て布１１の縁部を、左右前身ごろ４、７、左右袖８、９、衿１０に縫着し、前記左右後ろ身ごろ３、６側の前記当て布１１の下端縁は前記左右後ろ身ごろ３、６に縫着せず、ズボンには、ウエスト部１８から股下２０の３〜５ｃｍの位置に亘る範囲の左右後ろズボン１６、１７の裏面に保温性を有する当て布１１を合致させ、前記左右後ろズボンと共に前記当て布１１の縁部を左右前ズボンに縫着し、この当て布１１の下端縁は前記左右後ろズボンに縫着していない。【選択図】図１
0003102989.tif 000002
【実用新案登録請求の範囲】
【請求項１】
左右肩山を左右後ろ身ごろに一体的に設けて対応する左右前身ごろ側に延設した左右後ろ身ごろと左右前身ごろと左右袖と衿とからなる上衣と、左右前ズボンと左右後ろズボンの対応する側縁を夫々縫着したズボンとよりなる作業着において、
上記上衣には、左肩山から背中の上部を跨がり右肩山にかけて左右後ろ身ごろの裏面に保温性を有する当て布を合致させ、前記左右後ろ身ごろと共に対応する前記当て布の縁部を、左右前身ごろ、左右袖、衿に縫着し、前記左右後ろ身ごろ側の前記当て布の下端縁は前記左右後ろ身ごろに縫着せず、
上記ズボンには、ウエスト部から股下３〜５ｃｍの位置に亘る範囲の左右後ろズボンの裏面に保温性を有する当て布を合致させ、前記左右後ろズボンと共に前記当て布の縁部を左右前ズボンに縫着し、この当て布の下端縁は前記左右後ろズボンに縫着していないことを特徴とする作業着。
【考案の詳細な説明】
【技術分野】
【０００１】  本考案は、肩部、背中部、腰部の冷えを防止し、外観は何ら変わることなく速乾性を維持する作業着に関するものである。
【背景技術】
【０００２】  作業着、主として食品を扱う作業者の作業着は、作業活動がし易く、長寿命性、速乾性及び軽量であり常に清潔であることを維持する材質でなればならない。そのため、綿や化繊の混紡織物により形成されており、寒い季節或いは気温が低い作業場では、作業中、肩部、背中部、腰部が冷え、作業能率が低下していた。【０００３】  肩部、背中部、腰部の冷えを防止する被服としては、上着の背中上部の裏面に合致させる保温当布片の背中当部の前端部に、上着の肩部の裏面に合致させる保温当布片の肩当部を形成し、上着の肩部の前側の裏面に合致させる保温当布片の前肩当部を背中当部に一体または別体に設けると共に、該前肩当部および肩当部の中間部分に前側から凹入部を形成した木綿などの布地からなる保温当布片とからなり、保温当布片の凹入部を前記上着の襟部の裏面に合致させて両者を夫々縫着したパジャマ兼トレーナーが提案されている（例えば、実用新案文献１参照）。
又、前開き式上衣パジャマ体の胃腸部分に保温性布を縫着したパジャマが提案されている（例えば、実用新案文献２参照）。
又、シャツ形状をなすスポーツ用アンダーウエア本体の肩部、肘部、上背部、下背部、胸部、腰部及び骨盤の左右部位などのすべて又はそれらの所要箇所の外面、又は、内面、若しくは、内外面に、アラミド繊維のような高強度繊維製の当て布を重合、定着したスポーツ用アンダーウエアが提案されている（例えば、実用新案文献３参照）。
【実用新案文献１】
登録第３０４４３６７号の実用新案公報
【実用新案文献２】
実開平２−１０６４１３の公報
【実用新案文献３】
登録第３０２５６５２号の実用新案公報
【考案の開示】
【考案が解決しようとする課題】
【０００４】  保温当布片は、上着の裏面の肩部や背中部、或いは上衣の必要な部分に縫着しているのでその縫い目が表面に表れ、下着等の場合は良いが、作業着の上衣やズボンの場合は美観を損ねるという問題点があった。又、保温当布片の全周縁を上着に縫着しているので洗濯をしたとき乾燥するのに時間がかかるという問題点もあった。
そこで、本考案は、肩部、背中部、腰部の冷えを防止し、表面の美観を損ねることがなく、洗濯をした場合の乾燥時間も従来の乾燥時間と変わらない作業着を提供することを目的とする。
【課題を解決するための手段】
【０００５】  本考案は、左右肩山を左右後ろ身ごろに一体的に設けて対応する左右前身ごろ側に延設した左右後ろ身ごろと左右前身ごろと左右袖と衿とからなる上衣と、左右前ズボンと左右後ろズボンの対応する側縁を夫々縫着したズボンとよりなる作業着において、上記上衣には、左肩山から背中の上部を跨がり右肩山にかけて左右後ろ身ごろの裏面に保温性を有する当て布を合致させ、前記左右後ろ身ごろと共に対応する前記当て布の縁部を、左右前身ごろ、左右袖、衿に縫着し、前記左右後ろ身ごろ側の前記当て布の下端縁は前記左右後ろ身ごろに縫着せず、上記ズボンには、ウエスト部から股下３〜５ｃｍの位置に亘る範囲の左右後ろズボンの裏面に保温性を有する当て布を合致させ、前記左右後ろズボンと共に前記当て布の縁部を左右前ズボンに縫着し、この当て布の下端縁は前記左右後ろズボンに縫着していないことを特徴とする。
【考案の効果】
【０００６】  上衣は、左肩山から背中の上部を跨がり右肩山にかけて左右後ろ身ごろの裏面に保温性を有する当て布を合致させ、左右後ろ身ごろと共に対応する当て布の縁部を、左右前身ごろ、左右袖、衿に縫着し、左右後ろ身ごろ側の当て布の下端縁は左右後ろ身ごろに縫着していないので、肩部、背中部の冷えを防止すると共に、当て布を縫着している縫い目が表面に表れず美観を損ねないという効果がある。
ズボンは、ウエスト部から股下３〜５ｃｍの位置に亘る範囲の左右後ろズボンの裏面に保温性を有する当て布を合致させ、左右後ろズボンと共に当て布の縁部を左右前ズボンに縫着し、当て布の下端縁は左右後ろズボンに縫着していないので、腰部全体の冷えを防止すると共に、当て布を縫着している縫い目が表面に表れず美観を損ねないという効果がある。
又、上衣の左右後ろ身ごろ側の当て布の下端縁は左右後ろ身ごろに縫着せず、ズボンの当て布の下端縁は左右後ろズボンに縫着していないので、洗濯をしても当て布が左右後ろ身ごろや左右後ろズボンに密接せず従来の乾燥時間と変わらない。
【考案を実施するための最良の形態】
【実施例１】
【０００７】  図１は上衣の正面図、図２は図１の背面図、図３は図１の平面図、図４は当て布の取付け状態を示す断面側面図である。上衣１は、長寿命性、速乾性、軽量であり常に清潔であることを維持する材質、例えば、木綿、木綿と化繊の混紡織物若しくは合成繊維１００％原料とする織物により左肩山２は左後ろ身ごろ３に一体的に設け左前身ごろ４側に延設し、右肩山５は右後ろ身ごろ６に一体的に設け右前身ごろ７側に延設した左右後ろ身ごろ３、６と、左前身ごろ４、右前身ごろ７、左袖８、右袖９、衿１０を縫着して形成されている。左後ろ身ごろ３と右後ろ身ごろ６は背縫いをして一体的に形成し、左肩山２から背中の上部を跨がり右肩山５にかけての範囲の位置の左後ろ身ごろ３と右後ろ身ごろ６の裏面にたとえばキルティングよりなる保温性を有する当て布１１を合致し、左後ろ身ごろ３と右後ろ身ごろ６と共に対応する当て布１１の縁部を左右前身ごろ４、７、左右袖８、９、衿１０に公知の方法で縫着し、作業者の左右肩部及び背中上部をカバーするように上衣１の裏面に取付ける。左右後ろ身ごろ３、６側の当て布１１の下端縁１２は左右後ろ身ごろ３、６に縫着していない。【０００８】  図５はズボンの斜視図、図６はズボンの左右後ろズボンに当て布の取付け状態を示す断面側面図である。ズボン１３は、左前ズボン１４、右前ズボン１５、左後ろズボン１６、右後ろズボン１７を縫着して形成されている。左後ろズボン１６と右後ろズボン１７の尻中央部を縫着し、ウエスト部１８から股下２０の３〜５ｃｍの位置に亘る範囲の左右後ろズボン１６、１７の裏面に、たとえばキルティングよりなる保温性を有する当て布１１を合致して左右後ろズボン１６、１７と共に当て布の縁部を左脇１９、右脇２１、股下２０、股上２２とウエスト部１８に公知の方法で縫着し、作業者の腰部全体をカバーするようにズボン１３に取付ける。当て布１１の下端縁１２は左右後ろズボン１６、１７に縫着していない。【０００９】  次に作用について説明する。上衣１については、保温性を有する当て布１１は、左肩山２から背中の上部を跨がり右肩山５にかけての範囲の左後ろ身ごろ３と右後ろ身ごろ６の裏面の位置に取付け、当て布１１の下端縁１２は左右後ろ身ごろ３、６に縫着していないので、着用時、上衣１の重みにより作業者の左右肩部に左右肩山２、５が当接し、この当接により当て布１１と左右肩山２、５との間に形成され体温によって温められた空気層は、保持され肩部の冷えを防止し、背中上部は当て布１１と左右後ろ身ごろ３、６の２重構造により冷えを防止する。
ズボン１３については、ウエスト部１８から股下２０の３〜５ｃｍの位置に亘る範囲の左右後ろズボン１６、１７の裏面に、保温性を有する当て布１１を取付けているので、腰の出っ張りにより当て布１１と右後ろズボン１６、１７の間に形成され体温によって温められた空気層は保持されて腰全体の冷えを防止する。
また、上衣１の当て布１１の下端縁１２は左右後ろ身ごろ３、６に縫着せず、ズボン１３の当て布１１の下端縁１２は左右後ろズボン１６、１７に縫着していないので、表面に縫い目が表れず、外観的には従来の作業着と何らかわりなく、洗濯時の乾燥時間も従来と何らかわらない。
【図面の簡単な説明】
【００１０】
【図１】図１は上衣の正面図である。
【図２】図１の背面図である。
【図３】図１の平面図である。
【図４】当て布の取付け状態を示す断面側面図である。
【図５】ズボンの斜視図である。
【図６】ズボンの左右後ろズボンに当て布の取付け状態を示す断面側面図である。
【符号の説明】
【００１１】１  上衣
２  左肩山
３  左後ろ身ごろ
４  左前身ごろ
５  右肩山
６  右後ろ身ごろ
７  右前身ごろ
８  左袖
９  右袖
１０  衿
１１  当て布
１２  下端縁
１３  ズボン
１４  左前ズボン
１５  右前ズボン
１６  左後ろズボン
１７  右後ろズボン
１８  ウエスト部
２０  股下
【図１】
0003102989.tif 000003
【図２】
0003102989.tif 000004
【図３】
0003102989.tif 000005
【図４】
0003102989.tif 000006
【図５】
0003102989.tif 000007
【図６】
0003102989.tif 000008